(57)【要約】  【課題】  受信側の携帯端末の表示性能や処理能力、または携帯端末のユーザなどの個人情報に応じて、受信した情報を携帯端末のユーザが最も見やすく表示させるのに最適なスクロール量とスクロールのタイミングを決定して、再生する表示データを全て閲覧可能にすること。  【解決手段】  携帯端末の表示能力に対応した１回分のスクロール量と、画面サイズを超える再生表示データのサイズと、再生表示データの表示時間に基づいて、スクロール回数と、スクロール間隔を決定し、再生表示データの表示開始から終了まで、前記スクロールの間隔毎に、スクロールの実行を指示する信号を、前記スクロールの回数分、出力し、前記表示時間内に、その指示信号を受け取る毎に、画面上に表示された再生表示データを、前記１回分のスクロール量、自動的にスクロールさせて表示を更新する。【選択図】  図４
2005156626.tif 000002
【特許請求の範囲】
【請求項１】
文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、
前記メディアデータから再生表示するマルチメディアデータとマルチメディアデータに対応する文字メッセージを抽出して編集する再生表示データ生成手段と、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定手段と、
前記再生表示データの表示開始から終了まで、前記スクロールパラメータ決定手段で決定されたスクロールの間隔毎に、スクロールの実行を指示する信号を、同じく前記スクロールパラメータ決定手段で決定されたスクロールの回数分、出力する自動スクロール処理手段と、
前記表示時間内に、前記自動スクロール処理手段からの指示信号を受け取る毎に、前記表示画面上に表示された前記再生表示データを、前記１回分のスクロール量、自動的にスクロールさせて表示を更新する再生制御手段と、
を備えたことを特徴とするスクロール処理付表示装置。
【請求項２】
前記スクロールパラメータ手段は、前記１回分のスクロール量を、前記表示画面に表示される１文字の縦サイズに設定するとともに、前記スクロール回数を、前記表示画面サイズを超える前記再生表示データのスクロール方向のサイズを、前記１回分のスクロール量で割った値から算出して決定し、
前記スクロールの間隔を、前記再生表示データの表示時間を、前記スクロール回数で割った値から算出して決定することを特徴とする請求項１に記載のスクロール処理付表示装置。
【請求項３】
前記スクロールパラメータ決定手段は、前記１回分のスクロール量にかえて得られる、前記携帯端末の表示能力に対応した１回分のスクロールにかかる時間と、前記表示画面サイズを超える再生表示データのサイズと、前記再生表示データの表示時間とに基づいて、スクロール回数と、スクロールの間隔を決定するものであって、
前記１回分のスクロール量を、前記表示画面サイズを超える再生表示データのサイズを、前記決定されたスクロール回数で割った値から算出して決定し、
前記スクロール回数を、前記再生表示データの表示時間を、前記１回分のスクロールにかかる時間で割った値から算出して決定し、
前記スクロールの間隔を、前記再生表示データの表示時間を、前記スクロール回数で割った値から算出して決定することを特徴とする請求項１に記載のスクロール処理付表示装置。
【請求項４】
前記請求項３に記載の携帯端末の表示能力を、予め登録されたユーザ情報にかえたことを特徴とするスクロール処理付表示装置。
【請求項５】
前記請求項３に記載の携帯端末の表示能力を、ユーザの操作に関する学習情報にかえたことを特徴とするスクロール処理付表示装置。
【請求項６】
前記請求項３に記載の携帯端末の表示能力を、ユーザが入力した表示条件にかえたことを特徴とするスクロール処理付表示装置。
【請求項７】
前記スクロールパラメータ決定手段は、前記再生表示データに特定の行が含まれている場合に、その特定の行のスクロール間隔を、他の行のスクロール間隔よりも大きくするように、スクロール回数と、スクロールの間隔を決定することを特徴とする請求項１に記載のスクロール処理付表示装置。
【請求項８】
文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、その携帯端末に、
前記メディアデータから再生表示するマルチメディアデータとマルチメディアデータに対応する文字メッセージを抽出して編集する再生表示データ生成ステップと、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定ステップと、
前記再生表示データの表示開始から終了まで、前記スクロールパラメータ決定ステップで決定されたスクロールの間隔毎に、スクロールの実行を指示する信号を、同じく前記スクロールパラメータ決定ステップで決定されたスクロールの回数分、出力する自動スクロール処理ステップと、
前記表示時間内に、前記自動スクロール処理ステップによる指示信号を受け取る毎に、前記表示画面上に表示された前記再生表示データを、前記１回分のスクロール量、自動的にスクロールさせて表示を更新する再生制御ステップと、
を実行させるコンピュータ読み取り可能なプログラムが記録されたことを特徴とする記録媒体。
【請求項９】
文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、その携帯端末に、
前記メディアデータから再生表示するマルチメディアデータとマルチメディアデータに対応する文字メッセージを抽出して編集する再生表示データ生成ステップと、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定ステップと、
前記再生表示データの表示開始から終了まで、前記スクロールパラメータ決定ステップで決定されたスクロールの間隔毎に、スクロールの実行を指示する信号を、同じく前記スクロールパラメータ決定ステップで決定されたスクロールの回数分、出力する自動スクロール処理ステップと、
前記表示時間内に、前記自動スクロール処理ステップによる指示信号を受け取る毎に、前記表示画面上に表示された前記再生表示データを、前記１回分のスクロール量、自動的にスクロールさせて表示を更新する再生制御ステップと、
を実行させることを特徴とするコンピュータ読み取り可能なプログラム。
【発明の詳細な説明】
【技術分野】
【０００１】
本発明は、表示画面上に再生する表示データが表示画面サイズを超える場合に、前記再生表示データを自動的にスクロールして、再生表示データの全情報を表示させるスクロール処理付表示装置、記録媒体、及びコンピュータ読み取り可能なプログラムに関する。
【背景技術】
【０００２】
携帯電話などの受信端末で受信したコンテンツ（画像情報、テキスト情報ほか）を表示画面上で見る場合に、その再生表示データが携帯電話の表示画面内に収まらないことがある。その場合、通常、ユーザが、手動操作によって、表示画面上で再生表示データをスクロールさせ、全情報を閲覧することが行われていた。これは、ボーダフォン（Vodafone）等が提供し、欧州などで利用されるＧＳＭ／ＧＰＲＳ方式に対応した携帯端末で実施されているＭＭＳ（マルチメディア・メッセージ・サービス）機能を使用する場合に行われている。ＭＭＳ（マルチメディア・メッセージ・サービス）とは、文字メッセージとともに写真や音楽、動画などといったさまざまなマルチメディアデータを、ショートメッセージサービスの使い勝手そのままに、携帯電話などの携帯端末同士で送受信することができるサービスのことをいう。
【０００３】
例えば、図１に示すような、表示部１０１，スピーカー１０２，再生データ生成部１０３，再生制御部１０４を少なくとも備える携帯電話に、図８に示すような、メディアデータ１０（文字メッセージや写真など）と、ショートメッセージサービスで送信する文字メッセージと写真を受信端末での見せ方を指示したＳＭＩＬコンテンツ１１（シナリオ）が送信された場合、図２に示すフローチャートのように、再生データ生成部１０３は、送信されたＳＭＩＬコンテンツ１１に基づいて画面全体のレイアウトを作成し（ステップ（以下、括弧内ではステップという語を省略する）２０１）、再生制御部１０４が画面を表示する（２０２）。そして、ステップ２０１，２０２の制御をすべてのコンテンツ（画像情報、テキスト情報ほか）の表示が終了するまで繰り返して行う（２０３）。
これらの処理によって、図３に示す画面Ａのような画像が表示され、４秒後に、画面Ｂのような画像（「花もきれいでした」という文字情報も表示されている）が表示される場合に、ユーザは、画面Ａにおいて画面外のため表示されない領域に記載された、「こんにちは今日は山に行きました」という文字情報を表示しようとする場合、次に画面Ｂが送られてくる４秒以内に画面Ａを手動操作によってスクロールさせる必要がある。
【０００４】
一方、携帯端末で再生表示データにあわせて、スクロール量やスクロールのタイミングを指定したシナリオを送信し、再生表示データが携帯端末の表示画面内に収まらない場合には、シナリオで指定されたタイミングで定められたスクロール量分、自動的にスクロールさせるものが知られている（例えば、特許文献１）。
【特許文献１】特開２０００−３３６９号公報
【発明の開示】
【発明が解決しようとする課題】
【０００５】
しかしながら、特許文献１に記載の発明は、送信側がスクロール量やスクロールのタイミングをシナリオで指定するので、受信側の携帯端末の表示性能によっては、再生表示データが表示画面内に収まらない場合がある。
かかる場合には、ユーザが、手動操作によって再生表示データをスクロールさせて全情報を閲覧する必要がある。
【０００６】
そこで本発明は、前記従来の課題を解決するもので、受信側の携帯端末の表示性能や処理能力、または携帯端末のユーザなどの個人情報に応じて、受信した情報を携帯端末のユーザが最も見やすく表示させるのに最適なスクロール量とスクロールのタイミングを決定して、再生する表示データを全て閲覧可能にすることを目的とする。
【課題を解決するための手段】
【０００７】
前記従来の課題を解決するために、本発明のスクロール処理付表示装置は、文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、
前記メディアデータから再生表示するマルチメディアデータとマルチメディアデータに対応する文字メッセージを抽出して編集する再生表示データ生成手段と、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定手段と、
前記再生表示データの表示開始から終了まで、前記スクロールパラメータ決定手段で決定されたスクロールの間隔毎に、スクロールの実行を指示する信号を、同じく前記スクロールパラメータ決定手段で決定されたスクロールの回数分、出力する自動スクロール処理手段と、
前記表示時間内に、前記自動スクロール処理手段からの指示信号を受け取る毎に、前記表示画面上に表示された前記再生表示データを、前記１回分のスクロール量、自動的にスクロールさせて表示を更新する再生制御手段と、を備えたことを特徴とする。
また、前記スクロールパラメータ手段は、前記１回分のスクロール量を、前記表示画面に表示される１文字の縦サイズに設定するとともに、前記スクロール回数を、前記表示画面サイズを超える前記再生表示データのスクロール方向のサイズを、前記１回分のスクロール量で割った値から算出して決定し、
前記スクロールの間隔を、前記再生表示データの表示時間を、前記スクロール回数で割った値から算出して決定することを特徴とする。
【０００８】
また、本発明のスクロール処理付表示装置は、前記スクロールパラメータ決定手段は、前記１回分のスクロール量にかえて得られる、前記携帯端末の表示能力に対応した１回分のスクロールにかかる時間と、前記表示画面サイズを超える再生表示データのサイズと、前記再生表示データの表示時間とに基づいて、スクロール回数と、スクロールの間隔を決定するものであって、
前記１回分のスクロール量を、前記表示画面サイズを超える再生表示データのサイズを、前記決定されたスクロール回数で割った値から算出して決定し、
前記スクロール回数を、前記再生表示データの表示時間を、前記１回分のスクロールにかかる時間で割った値から算出して決定し、
前記スクロールの間隔を、前記再生表示データの表示時間を、前記スクロール回数で割った値から算出して決定することを特徴とする。
【０００９】
さらに、本発明のスクロール処理付表示装置は、前記携帯端末の表示能力を、予め登録されたユーザ情報にかえたことを特徴とする。
【００１０】
また、本発明のスクロール処理付表示装置は、前記携帯端末の表示能力を、ユーザの操作に関する学習情報にかえたことを特徴とする。
【００１１】
また、本発明のスクロール処理付表示装置は、前記携帯端末の表示能力を、ユーザが入力した表示条件にかえたことを特徴とする。
【００１２】
また、本発明のスクロール処理付表示装置は、前記スクロールパラメータ決定手段は、前記再生表示データに特定の行が含まれている場合に、その特定の行のスクロール間隔を、他の行のスクロール間隔よりも大きくするように、スクロール回数と、スクロールの間隔を決定することを特徴とする。
【００１３】
本発明の記録媒体は、文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、その携帯端末に、
前記メディアデータから再生表示するマルチメディアデータとマルチメディアデータに対応する文字メッセージを抽出して編集する再生表示データ生成ステップと、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定ステップと、
前記再生表示データの表示開始から終了まで、前記スクロールパラメータ決定ステップで決定されたスクロールの間隔毎に、スクロールの実行を指示する信号を、同じく前記スクロールパラメータ決定ステップで決定されたスクロールの回数分、出力する自動スクロール処理ステップと、
前記表示時間内に、前記自動スクロール処理ステップによる指示信号を受け取る毎に、前記表示画面上に表示された前記再生表示データを、前記１回分のスクロール量、自動的にスクロールさせて表示を更新する再生制御ステップと、を実行させるコンピュータ読み取り可能なプログラムが記録されたことを特徴とする。
【００１４】
本発明のコンピュータ読み取り可能なプログラムは、文字メッセージやマルチメディアデータなどから構成されるメディアデータとメディアデータの表示条件を記載したシナリオデータを送受信するメッセージサービスを行う携帯端末において、携帯端末の表示領域を超えた受信情報を表示画面上に表示する場合、その携帯端末に、
前記メディアデータから再生表示するマルチメディアデータとマルチメディアデータに対応する文字メッセージを抽出して編集する再生表示データ生成ステップと、
前記携帯端末の表示性能に応じた１回分のスクロール量と、前記表示領域を超えた行数と、前記メディアデータを表示する時間に基づいて、スクロール回数とスクロールの間隔を決定するスクロールパラメータ決定ステップと、
前記再生表示データの表示開始から終了まで、前記スクロールパラメータ決定ステップで決定されたスクロールの間隔毎に、スクロールの実行を指示する信号を、同じく前記スクロールパラメータ決定ステップで決定されたスクロールの回数分、出力する自動スクロール処理ステップと、
前記表示時間内に、前記自動スクロール処理ステップによる指示信号を受け取る毎に、前記表示画面上に表示された前記再生表示データを、前記１回分のスクロール量、自動的にスクロールさせて表示を更新する再生制御ステップと、を実行させることを特徴とする。
【発明の効果】
【００１５】
本発明によれば、受信端末の表示領域に受信情報（例えば、写真と対に記述された文字メッセージ）を表示する場合、写真と文字メッセージが表示領域に収まらない場合に、再生表示データの表示能力、例えば、携帯電話等の受信端末の表示スペックに対応した１回分のスクロール量と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
このように、スクロール回数とスクロールの間隔は送信側から送られるものではなく、受信側の端末の表示能力に応じて決定されるので、ユーザが手動操作によって再生表示データをスクロールさせる必要はない。
【００１６】
また、本発明によれば、受信端末の表示領域に受信情報（例えば、写真と対に記述された文字メッセージ）を表示する場合、写真と文字メッセージが表示領域に収まらない場合に、再生表示データの表示能力、例えば、携帯電話等の受信端末の性能（速度）スペックに対応した１回分のスクロールにかかる時間と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
このように、スクロール回数とスクロールの間隔は送信側から送られるものではなく、受信側の端末の性能（速度）能力に応じて決定されるので、ユーザが手動操作によって再生表示データをスクロールさせる必要はない。
【００１７】
さらに、本発明によれば、受信端末の表示領域に受信情報（例えば、写真と対に記述された文字メッセージ）を表示する場合、写真と文字メッセージが表示領域に収まらない場合に、予め登録されたユーザ情報、例えば、年齢や視力に対応した１回分のスクロールにかかる時間と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
このように、スクロール回数とスクロールの間隔は送信側から送られるものではなく、受信側の端末を使用するユーザの特徴により決定されるので、ユーザが手動操作によって再生表示データをスクロールさせる必要はないのに加えて、ユーザは再生表示データの閲覧が一層容易になる。
【００１８】
また、本発明によれば、受信端末の表示領域に受信情報（例えば、写真と対に記述された文字メッセージ）を表示する場合、写真と文字メッセージが表示領域に収まらない場合に、ユーザの操作に関する学習情報、例えば、ボタン押下間隔を学習することにより得られる現在時のユーザの操作能力に対応した１回分のスクロールにかかる時間と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
このように、スクロール回数とスクロールの間隔は送信側から送られるものではなく、ユーザの操作に関する学習情報に応じて決定されるので、ユーザが手動操作によって再生表示データをスクロールさせる必要はないのに加え、ユーザの能力に対応した閲覧が可能となる。
【００１９】
また、本発明によれば、受信端末の表示領域に受信情報（例えば、写真と対に記述された文字メッセージ）を表示する場合、写真と文字メッセージが表示領域に収まらない場合に、ユーザが入力した表示条件に対応した１回分のスクロールにかかる時間と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
このように、スクロール回数とスクロールの間隔は送信側から送られるものではなく、ユーザが入力した表示条件に応じて決定されるので、ユーザが手動操作によって再生表示データをスクロールさせる必要はないのに加え、ユーザは再生表示データの閲覧が一層容易になる。
【００２０】
また、本発明によれば、表示画面上に再生する表示データが表示画面サイズを超える場合で、しかも再生表示データに特定の行が含まれている場合に、その特定の行のスクロール間隔を、他の行のスクロール間隔よりも大きくするように、スクロール回数とスクロールの間隔が決定され、この決定された値に基づき再生表示データは自動的にスクロールさせられ、再生表示データの全情報が表示させられる。よって、特定の行を強調させることができる。
【発明を実施するための最良の形態】
【００２１】
（実施の形態１）
本発明の実施の形態１について、図４乃至図１７を参照しながら説明する。なお、従来例で示したものと同一部分には同一符号を付した。
本発明の実施の形態１に係るスクロール処理付表示装置は、図４に示すような携帯電話（携帯端末）に適用したものである。
【００２２】
このような携帯電話は、従来例で示した表示部１０１，スピーカー１０２，再生データ生成部１０３，再生制御部１０４に加えて、スクロールパラメータ決定部４０１と自動スクロール処理部４０２を備える。
再生データ生成部１０３は、携帯電話に送信されたメディアデータ１０とＳＭＩＬコンテンツ１１から再生表示データを生成する。
再生制御部１０４は、再生データ生成部１０３で生成された再生表示データと自動スクロール処理部４０２から出力される信号に基づいて、表示部１０１，スピーカー１０２に表示データの再生・停止・表示・非表示の制御を行う。
【００２３】
スクロールパラメータ決定部４０１は、再生データ生成部１０３で生成された再生表示データを参照し、携帯電話の表示画面サイズを再生表示データの表示画面サイズが超えるか否かを判定して、再生表示データの表示画面サイズが携帯電話の表示画面サイズを超える場合、この携帯電話の再生表示データの表示能力に対応した１回分のスクロール量と、携帯電話の表示画面サイズを超える再生表示データのサイズと、再生表示データの表示時間とに基づいて、スクロール回数と、スクロールの間隔からなる自動スクロール情報を決定する。
自動スクロール処理部４０２は、再生制御部１０４から表示画面切り替えのタイミングを受け取るとともに、スクロールパラメータ決定部４０１から決定された自動スクロール情報を受け取る。そして、再生表示データの表示開始から終了まで、スクロールパラメータ決定部４０１で決定されたスクロールの間隔毎に、スクロールの実行を指示する信号を、同じくスクロールパラメータ決定部４０１で決定されたスクロールの回数分、再生制御部１０４に出力する。ここでは、内部タイマの値がスクロールの間隔（タイミング）で指定された値と一致すると、指定されたスクロール量のスクロールの実行を再生制御部１０４に通知する。
【００２４】
次に、図５乃至図７に示すフローチャートにより、再生表示データの表示処理手順について説明する。
まず、再生データ生成部１０３は、携帯電話にメディアデータ１０（文字メッセージや写真など）と、ショートメッセージサービスで送信する文字メッセージと写真を受信端末での見せ方を指示したＳＭＩＬコンテンツ１１（シナリオ）が送信されると、ＳＭＩＬコンテンツ１１の内容によってメディアデータ１０の画面全体のレイアウトを作成する（５０１）。送信者が作成するメディアデータ１０とＳＭＩＬコンテンツ１１（シナリオ）の構成は図８に示すようになっている。そして、スクロールパラメータ決定部４０１が再生データ生成部１０３で生成された再生表示データを参照しながら、スクロールに必要なスクロール回数と、スクロールの間隔（タイミング）を算出する（５０２，５０３）。
【００２５】
必要なスクロール回数（ＮＵＭ）は、図６に示すように、この携帯電話特有の再生表示データの表示能力に対応した１回分のスクロール量、ここではこの携帯電話のスペックより１文字の縦サイズ（図９に示す携帯電話の画面では、Ｘ1）を取得し（６０１）、１文字の縦サイズ（Ｘ1）を１回分のスクロール量に設定し（６０２）、そして、携帯電話の表示画面を超過する領域の縦サイズ（図９では、Ｘ3−Ｘ2）を１回分のスクロール量（Ｘ1）で割ることによって算出される（６０３）。
なお、１文字の縦サイズ（Ｘ1）は、図１０に示すように、携帯電話の画面サイズ（図９では、（Ｘ0，Ｙ0））や携帯電話において１回のスクロールを実行するために必要な時間（Ｔ0秒）とともに携帯電話のスペックテーブルに格納されている。
【００２６】
また、必要なスクロールの間隔（Ｍ1）は、図７に示すように、ＳＭＩＬコンテンツ１１により画面の表示が開始（ｍ1）されてから終了（ｍ2）するまでの表示時間（Ｍ0＝ｍ2−ｍ1）を取得し（７０１）、算出した必要スクロール回数（ＮＵＭ）で表示時間（Ｍ0）を割ることによって算出される（７０２）。そして、１回分のスクロール量（Ｘ1）と、スクロール間隔（Ｍ1）より自動スクロール情報（Ｘ1，Ｍ1）が決定される（７０３）。
なお、表示時間（Ｍ0）を定める表示開始時間（ｍ1秒），表示終了時間（ｍ2秒）は、図１１に示すように、受信情報を表示する領域のサイズ（図９では、（Ｘ2，Ｙ2）），表示する再生表示データの種類，再生表示データの、画面サイズ（図９では、（Ｘ0，Ｙ0））における表示開始位置（図９では、（Ｘ4，Ｙ4）），再生表示データの表示サイズ（図９では、（Ｘ3，Ｙ2））とともにＳＭＩＬコンテンツ１１のテーブルに格納されている。再生表示データの種類は、静止画，動画のいずれでもよく、また音楽であってもよい。
そして、決定された１回のスクロール量（Ｘ1）とスクロール間隔（Ｍ1）は、図１２に示すように、自動スクロール情報を示すテーブルに格納される。
【００２７】
そして、再生制御部１０４は全ての再生表示データ（コンテンツ）の表示が終了する表示時間内に、自動スクロール処理部４０２から出力される指示信号を受け取る毎に、表示画面上に表示された再生表示データを、１回分のスクロール量、自動的にスクロールさせて表示を更新する（５０４，５０５，５０６）。
これによって、表示画面上に再生する表示データの表示画面サイズ（図９では、（Ｘ3，Ｙ2））が、携帯電話の表示画面サイズ、ここでは、画面サイズ（図９では、（Ｘ0，Ｙ0））に対して表示位置とサイズが指示された、受信情報を表示する領域のサイズ（図９では、（Ｘ2，Ｙ2））を超える場合であっても、画面が自動的にスクロールされるので再生表示データの全情報が、受信情報を表示する領域のサイズ（図９では、（Ｘ2，Ｙ2））の内に表示される。
【００２８】
次に、送信相手から２枚の写真（写真Ａ、写真Ｂ）とそれぞれ写真に合わせた文字メッセージ（メッセージＡ、メッセージＢ）を受信した場合、受信端末での表示領域における表示の遷移を図１３を用い、図１４に示す再生表示データの表示タイミングとともに説明する。図１３に示すものは、画面Ａについて写真Ａと文字メッセージＡを合わせた表示が受信端末の表示領域に収まらないので、次に示すようにスクロールさせている。なお、画像データ（写真）にテキストデータ（文字メッセージ）を添付するときのＳＭＩＬコンテンツのテーブルの構成は図１５に示すようになり、さらに具体的に図１３で示すように、画面Ａが写真ＡとメッセージＡからなり、画面Ｂが写真ＢとメッセージＢからなる場合のＳＭＩＬコンテンツのテーブルの構成は図１６に示すようになる。なお、写真Ａと文字メッセージＡ、または写真Ｂと文字メッセージＢをそれぞれ対にし、合わせて表示するか否かの判断は、図１６に記載したメディアの表示時間Ｃの内容によって決まる。
【００２９】
これは、画面Ａが画面Ｂに切り替わるまでの時間、すなわち画面Ａが表示される時間である４秒間に、スクロール回数を３回、１秒のスクロール間隔で、しかも１回のスクロール量を１文字の縦サイズ（Ｘ1）にした状態で、スクロールさせた例を示している。なお、画面Ｂについては写真Ｂと文字メッセージＢを合わせた表示が受信端末の表示領域内に収まるので自動スクロールを行う必要がない。このため、スクロールなしで写真Ｂと文字メッセージＢを合わせた表示を４秒間表示することになる。
画面Ａ（１）の表示から１秒経過後、画面Ａ（１）は１文字の縦サイズ（Ｘ1）分スクロールされて画面Ａ（２）の状態となり、「こんにちは今日は山に行きした」という画面外のため表示されないもののうち、「こんにちは」の部分が表示されるようになる。次に、画面Ａ（２）の表示から１秒経過後、画面Ａ（２）はさらに１文字の縦サイズ（Ｘ1）分スクロールされて画面Ａ（３）の状態となり、「こんにちは」に加えて「今日は」の部分も表示されるようになる。次に、画面Ａ（３）の表示から１秒経過後、画面Ａ（３）はさらにまた１文字の縦サイズ（Ｘ1）分スクロールされて画面Ａ（４）の状態となり、「こんにちは今日は」に加えて「山に行きました」の部分も表示されるようになる。そして、１秒経過後、画面Ａ（４）は消去され、画面Ｂが表示される。
【００３０】
次に、図１７に示す再生制御部１０４における表示遷移処理のフローチャートについて説明する。
再生制御部１０４は、送信されたＳＭＩＬコンテンツ１１よりメディア（再生表示データ）の表示開始時間と表示終了時間を取得し（１４０１）、それらから表示時間を取得する（１４０２）。次に、最後のメディア（再生表示データ）の表示終了時間をコンテンツの終了時間に設定し（１４０３）、タイマをスタートさせ（１４０４）、メディアを表示する（１４１１）。
その後、タイマ値がメディア（再生表示データ）の表示終了時間になるまで（１４０５）、１文字の縦サイズ（Ｘ1）分のスクロールを算出されたスクロール間隔で実行する（１４０６）。そして、タイマ値がメディア（再生表示データ）の表示終了時間になると、タイマ値がコンテンツの終了時間であるか否かを判断する（１４０７）。タイマ値がコンテンツの終了時間でなければ、表示中のメディアを消去し、次のメディアを表示する（１４０９）。そして、メディアを示すレジスタに次のメディアを示すレジスタに置き換え（１４１０）、ステップ１４０５の処理に戻り、ステップ１４０５，１４０６，１４０７の処理を繰り返して行う。そして、最終的に、タイマ値がコンテンツの終了時間になると、コンテンツを終了する（１４０８）。
【００３１】
以上説明したように、表示画面上に再生する表示データが表示画面サイズを超える場合に、携帯電話の１文字の縦サイズ（Ｘ1）という表示スペックに対応した１回分のスクロール量と、表示画面サイズを超える再生表示データのサイズと、再生表示データの表示時間とに基づいて、スクロール回数とスクロールの間隔が決定され、この決定された値に基づき再生表示データは自動的にスクロールさせられ、再生表示データの全情報が表示させられる。
【００３２】
（実施の形態２）
実施の形態１では、表示画面上に再生する表示データが表示画面サイズを超える場合に、携帯電話の表示スペックに対応し、１文字の縦サイズを１回分のスクロール量とし、その１回分のスクロール量、表示画面サイズを超える再生表示データのサイズと、そして再生表示データの表示時間とに基づいて、スクロール回数とスクロールの間隔を決定するものであったが、本実施の形態２は、これにかえて、携帯電話の性能（速度）スペックに対応した１回分のスクロールにかかる時間と、表示画面サイズを超える再生表示データのサイズと、そして再生表示データの表示時間とに基づいて、スクロール回数とスクロールの間隔を決定するものである。
【００３３】
具体的には、図６及び図７にかわる、図１８及び図１９に示すフローチャートによって自動スクロール情報が決定される。なお、図４に示す概略構成及び図５に示すフローチャートについては実施の形態１のものと同一であるのでその説明を省略する。
図１８に示すように、携帯電話の性能（速度）スペックに対応した１回のスクロールにかかる時間（Ｔ0）を取得する（１５０１）とともに、ＳＭＩＬコンテンツ１１により画面の表示が開始（ｍ1）されてから終了（ｍ2）するまでの表示時間（Ｍ0＝ｍ2−ｍ1）を取得する（１５０２）。そして、表示時間（Ｍ0）を１回のスクロールにかかる時間（Ｔ0）で割ることによって、必要なスクロール回数（ＮＵＭ）を算出する（１５０３）。
そして、図１９に示すように、携帯電話の表示画面を超過する領域の縦サイズ（Ｘ3−Ｘ2）を算出した必要なスクロール回数（ＮＵＭ）で割ることによって、１回分のスクロール量（Ｘ1）を算出する（１６０１）。次に、算出した必要なスクロール回数（ＮＵＭ）で表示時間（Ｍ0）を割ることにより必要なスクロールの間隔（Ｍ1）を算出し（１６０２）、１回分のスクロール量（Ｘ1）と、スクロール間隔（Ｍ1）より自動スクロール情報（Ｘ1，Ｍ1）が決定される（１６０３）。
【００３４】
そして、再生制御部１０４は、図５で示したように、自動スクロール処理部４０２から出力される指示信号に基づき、表示画面上に表示された再生表示データを自動的にスクロールさせて表示を更新し、全情報を表示させる（５０４，５０５，５０６）。
これによれば、スクロール回数とスクロールの間隔は、携帯電話末の性能（速度）能力に応じて決定されるので、ユーザが手動操作によって再生表示データをスクロールさせる必要はない。
【００３５】
（実施の形態３）
実施の形態１では、表示画面上に再生する表示データが表示画面サイズを超える場合に、携帯電話の表示スペックに対応し、１文字の縦サイズを１回分のスクロール量とし、その１回分のスクロール量、表示画面サイズを超える再生表示データのサイズと、そして再生表示データの表示時間とに基づいて、スクロール回数とスクロールの間隔を決定するものであったが、本実施の形態３は、これにかえて、予め登録されているユーザの情報、例えば、年齢、視力に対応した１回のスクロールにかかる時間と、表示画面サイズを超える再生表示データのサイズと、再生表示データの表示時間とに基づいて、スクロール回数とスクロールの間隔を決定するものである。あるいは、ユーザの操作に関する学習情報、例えば、ボタン押下間隔を学習することにより得られる現在時のユーザの操作能力に対応した１回のスクロールにかかる時間と、表示画面サイズを超える再生表示データのサイズと、再生表示データの表示時間とに基づいて、スクロール回数とスクロールの間隔を決定するものである。
【００３６】
具体的には、図６及び図７にかわる、図２０及び図２１に示すフローチャートによって自動スクロール情報が決定される。なお、図４に示す概略構成及び図５に示すフローチャートについては実施の形態１のものと同一であるのでその説明を省略する。
図２０に示すように、例えば、ＳＩＭカードに保存されているユーザ情報より１回のスクロールにかかる時間（Ｔ0）を取得する（１７０１）とともに、ＳＭＩＬコンテンツ１１により画面の表示が開始（ｍ1）されてから終了（ｍ2）するまでの表示時間（Ｍ0＝ｍ2−ｍ1）を取得する（１７０２）。そして、表示時間（Ｍ0）を１回のスクロールにかかる時間（Ｔ0）で割ることによって、必要なスクロール回数（ＮＵＭ）を算出する（１７０３）。なお、ユーザ情報の保存は、ＳＩＭカードに限定されることはなく何らかのかたちでユーザ情報が保存登録されるものであればよい。
そして、図２１に示すように、携帯電話の表示画面を超過する領域の縦サイズ（Ｘ3−Ｘ2）を算出した必要なスクロール回数（ＮＵＭ）で割ることによって、１回分のスクロール量（Ｘ1）を算出する（１８０１）。次に、算出した必要なスクロール回数（ＮＵＭ）で表示時間（Ｍ0）を割ることにより必要なスクロールの間隔（Ｍ1）を算出し（１８０２）、１回分のスクロール量（Ｘ1）と、スクロール間隔（Ｍ1）より自動スクロール情報（Ｘ1，Ｍ1）が決定される（１８０３）。
【００３７】
そして、再生制御部１０４は、図５で示したように、自動スクロール処理部４０２から出力される指示信号をに基づき、表示画面上に表示された再生表示データを自動的にスクロールさせて表示を更新し、全情報を表示させる（５０４，５０５，５０６）。
これによれば、スクロール回数とスクロールの間隔は、携帯電話を使用するユーザの特徴により決定されるので、ユーザが手動操作によって再生表示データをスクロールさせる必要はないのに加えて、ユーザは再生表示データの閲覧が一層容易になる。
【００３８】
（実施の形態４）
実施の形態１では、表示画面上に再生する表示データが表示画面サイズを超える場合に、携帯電話の表示スペックに対応し、１文字の縦サイズを１回分のスクロール量とし、その１回分のスクロール量、表示画面サイズを超える再生表示データのサイズと、そして再生表示データの表示時間とに基づいて、スクロール回数とスクロールの間隔を決定するものであったが、本実施の形態４は、これにかえて、再生表示データに特定の行が含まれている場合に、その特定の行のスクロール間隔を、他の行のスクロール間隔よりも大きくするように、スクロール回数とスクロールの間隔を決定するものである。
【００３９】
具体的には、図６及び図７にかわる、図２２及び図２３に示すフローチャートによって自動スクロール情報が決定される。なお、図４に示す概略構成及び図５に示すフローチャートについては実施の形態１のものと同一であるのでその説明を省略する。
図２２に示すように、再生表示データに特定の行、例えば、ＳＭＩＬコンテンツ１１より強調する文字を含む行（Ｌ0）を取得する（１９０１）とともに、携帯電話のスペックより１文字の縦サイズ（Ｘ1）を取得し（１９０２）、１文字の縦サイズ（Ｘ1）を１回分のスクロール量に設定する（１９０３）。次に、携帯電話の表示画面を超過する領域の縦サイズ（Ｘ3−Ｘ2）を算出し（１９０４）、表示画面を超過する領域に強調する文字を含む行（Ｌ0）が存在する場合、携帯電話の表示画面を超過する領域の縦サイズ（Ｘ3−Ｘ2）に１文字の縦サイズ（Ｘ1）を加えた値（Ｘ5）を算出する。そして、その算出した縦サイズ（Ｘ5）を１回分のスクロール量（Ｘ1）で割ることによって、必要なスクロール回数（ＮＵＭ）を算出する（１９０６）。
そして、図２３に示すように、ＳＭＩＬコンテンツ１１により画面の表示が開始（ｍ1）されてから終了（ｍ2）するまでの表示時間（Ｍ0＝ｍ2−ｍ1）を取得し（２００１）、算出した必要なスクロール回数（ＮＵＭ）で表示時間（Ｍ0）を割ることによって、必要なスクロールの間隔（Ｍ1）を算出する（２００２）。そして、強調する文字を含む行（Ｌ0）のスクロールの間隔を他の文字例の２倍に設定し、自動スクロール情報（Ｘ1，Ｍ1×２）が決定される（２００３）。また、その他の領域の自動スクロール情報（Ｘ1，Ｍ1）も決定される。
【００４０】
そして、再生制御部１０４は、図５で示したように、自動スクロール処理部４０２から出力される指示信号をに基づき、表示画面上に表示された再生表示データを自動的にスクロールさせて表示を更新し、全情報を表示させる（５０４，５０５，５０６）。
これによれば、特定の行を強調させることができる。
【００４１】
なお、ここでは、強調する文字を含む行（Ｌ0）のスクロールの間隔を他の文字例の２倍に設定したが、これに限定されるものではない。
一般的には、スクロール回数を、表示画面サイズを超える前記再生表示データのスクロール方向である縦サイズ（Ｘ3−Ｘ2）に、１回分のスクロール量（Ｘ1）に所定の値（Ａ）を掛けた値（ＡＸ1）から１回分のスクロール量（Ｘ1）を減算した値（ＡＸ1−Ｘ1）を加え、その加算した値（Ｘ3−Ｘ2＋ＡＸ1−Ｘ1）を、１回分のスクロール量（Ｘ1）で割った値から算出して決定するとともに、他の行のスクロールの間隔を、再生表示データの表示時間を、スクロール回数で割った値から算出すると、特定の行のスクロールの間隔を、他の行のスクロールの間隔の所定の値（Ａ）倍に決定することができる。
【００４２】
例えば、送信相手から「山」の写真と「こんにちは今日は山に行きました」という文字メッセージを合わせた画面Ａと、「花」の写真と「花もきれいでした」という文字メッセージを合わせた画面Ｂを受信し、「こんにちは今日は山に行きました」という文字メッセージの中に強調する特定の行（例えば、「今日は」の部分）が含まれている場合、受信端末での表示領域における表示の遷移を図２４に示すように行う。画面Ａは、写真とメッセージを合わせた表示が受信端末の表示領域に収まらないので、次に示すようにスクロールさせている。また画面Ｂは、写真とメッセージを合わせた表示が受信端末の表示領域に収まるので自動スクロールを行う必要はない。
【００４３】
これは、画面Ａが画面Ｂに切り替わるまでの時間、すなわち画面Ａが表示される時間である６秒間に、スクロール回数を３回、１秒，１秒，３秒のスクロール間隔で、しかも１回のスクロール量を１文字の縦サイズ（Ｘ1）にした状態で、スクロールさせた例を示している。
画面Ａ（１）の表示から１秒経過後、画面Ａ（１）は１文字の縦サイズ（Ｘ1）分スクロールされて画面Ａ（２）の状態となり、「こんにちは今日は山に行きした」という画面外のため表示されないもののうち、「こんにちは」の部分が表示されるようになる。次に、画面Ａ（２）の表示から１秒経過後、画面Ａ（２）はさらに１文字の縦サイズ（Ｘ1）分スクロールされて画面Ａ（３）の状態となり、「こんにちは」に加えて「今日は」の部分も表示されるようになる。
【００４４】
ここで、「今日は」の部分は強調する特定の行であるので、画面Ａ（３）の表示から画面Ａ（４）の表示の遷移は、１秒経過後ではなく、特に３秒経過後というように、特定の行のスクロールの間隔を、他の行のスクロールの間隔の３倍にしている。これにより、「今日は」という特定の行が、他の行の時間（１秒）よりも長い３秒間表示される。その後、「こんにちは今日は」に加えて「山に行きました」の部分も表示されるようになる。そして、１秒経過後、画面Ａ（４）は消去され、画面Ｂが表示される。
【００４５】
（実施の形態５）
実施の形態１では、表示画面上に再生する表示データが表示画面サイズを超える場合に、携帯電話の表示スペックに対応し、１文字の縦サイズを１回分のスクロール量とし、その１回分のスクロール量、表示画面サイズを超える再生表示データのサイズと、そして再生表示データの表示時間とに基づいて、スクロール回数とスクロールの間隔を決定するものであったが、本実施の形態５は、これにかえて、ユーザが入力した表示条件（スクロール条件）に対応した１回分のスクロールにかかる時間と、前記表示画面サイズを超える再生表示データのサイズと、前記再生表示データの表示時間とに基づいて、スクロール回数とスクロールの間隔を決定するものである。
【００４６】
ユーザによる表示条件であるスクロールの速さの入力は、例えば、図２５に示すような、携帯電話上の画面に表示されたインジケータを押下することによって選択することができる。
これによれば、ユーザは所望のスクロール速度でスクロールされる再生表示データを見ることができるので再生表示データの閲覧が一層容易になる。
【００４７】
なお、実施の形態１乃至５では、受信端末として携帯電話を例にして説明したが、これに限定されることなく、例えば、パソコンの画面であってもよい。また、ＳＭＩＬコンテンツを利用して再生表示データの表示位置やタイミングを規格したが、これに限定されるものではなく、例えば、携帯電話の表示画面サイズ（Ｘ0，Ｙ0）を再生表示データを表示しうる最大限のサイズに設定してもよい。
【産業上の利用可能性】
【００４８】
本発明にかかるスクロール処理付表示装置及び表示方法は、表示画面上に再生する表示データが表示画面サイズを超える場合に、再生表示データを自動的にスクロールして、再生表示データの全情報を表示させるものに適用しうる。
【図面の簡単な説明】
【００４９】
【図１】従来の携帯電話の概略構成図。
【図２】従来の携帯電話に係る処理を示すフローチャート。
【図３】従来の画面遷移を示す図。
【図４】本発明の実施の形態１における携帯電話の概略構成図。
【図５】本発明の実施の形態１における処理手順を示すフローチャート。
【図６】本発明の実施の形態１におけるスクロールパラメータ決定部が必要スクロール回数を算出する処理を示すフローチャート。
【図７】本発明の実施の形態１におけるスクロールパラメータ決定部がスクロールの間隔（タイミング）を算出する処理を示すフローチャート。
【図８】送信者が作成するＳＭＩＬコンテンツとメディアデータの構成を示す図。
【図９】本発明の実施の形態１における携帯電話の画面を示す平面図。
【図１０】本発明の実施の形態１における携帯電話のスペックテーブルを示す図。
【図１１】本発明の実施の形態１におけるＳＭＩＬコンテンツのテーブルを示す図。
【図１２】本発明の実施の形態１における自動スクロール情報のテーブルを示す図。
【図１３】本発明の実施の形態１における表示遷移を示す図。
【図１４】本発明の実施の形態１における表示画面情報作成タイミングを示す図。
【図１５】本発明の実施の形態１における画像データ（写真）にテキストデータ（文字メッセージ）を添付するときのＳＭＩＬコンテンツのテーブルを示す図。
【図１６】本発明の実施の形態１における画面Ａが写真ＡとメッセージＡからなり、画面Ｂが写真ＢとメッセージＢからなる場合のＳＭＩＬコンテンツのテーブルを示す図。
【図１７】本発明の実施の形態１における再生制御部による表示遷移の処理手順を示すフローチャート。
【図１８】本発明の実施の形態２におけるスクロールパラメータ決定部が必要スクロール回数を算出する処理を示すフローチャート。
【図１９】本発明の実施の形態２におけるスクロールパラメータ決定部がスクロールの間隔（タイミング）を算出する処理を示すフローチャート。
【図２０】本発明の実施の形態３におけるスクロールパラメータ決定部が必要スクロール回数を算出する処理を示すフローチャート。
【図２１】本発明の実施の形態３におけるスクロールパラメータ決定部がスクロールの間隔（タイミング）を算出する処理を示すフローチャート。
【図２２】本発明の実施の形態４におけるスクロールパラメータ決定部が必要スクロール回数を算出する処理を示すフローチャート。
【図２３】本発明の実施の形態４におけるスクロールパラメータ決定部がスクロールの間隔（タイミング）を算出する処理を示すフローチャート。
【図２４】本発明の実施の形態４における表示遷移を示す図。
【図２５】本発明の実施の形態５におけるスクロールの速さを入力する画面を示す図。
【符号の説明】
【００５０】
１０    メディアデータ
１１    ＳＭＩＬコンテンツ
１０１    表示部
１０２    スピーカー
１０３    再生データ生成部
１０４    再生制御部
４０１    スクロールパラメータ決定部
４０２    自動スクロール処理部
【図１】
2005156626.tif 000003
【図２】
2005156626.tif 000004
【図３】
2005156626.tif 000005
【図４】
2005156626.tif 000006
【図５】
2005156626.tif 000007
【図６】
2005156626.tif 000008
【図７】
2005156626.tif 000009
【図８】
2005156626.tif 000010
【図９】
2005156626.tif 000011
【図１０】
2005156626.tif 000012
【図１１】
2005156626.tif 000013
【図１２】
2005156626.tif 000014
【図１３】
2005156626.tif 000015
【図１４】
2005156626.tif 000016
【図１５】
2005156626.tif 000017
【図１６】
2005156626.tif 000018
【図１７】
2005156626.tif 000019
【図１８】
2005156626.tif 000020
【図１９】
2005156626.tif 000021
【図２０】
2005156626.tif 000022
【図２１】
2005156626.tif 000023
【図２２】
2005156626.tif 000024
【図２３】
2005156626.tif 000025
【図２４】
2005156626.tif 000026
【図２５】
2005156626.tif 000027